(57)【要約】【課題】ＦＰＤの除菌を簡便に行うことができる移動式放射線撮影装置を提供する。【解決手段】本発明の構成によれば、ＦＰＤ４を収納する収納ホルダ７に紫外線を照射する殺菌灯７ａが備えられている。これにより、術者が収納ホルダ７にＦＰＤ４を収納するだけでＦＰＤ４の殺菌が可能となる。つまり、本発明によれば、ＦＰＤ４を袋で覆ったり、ＦＰＤ４の表面を拭き取ったりしなくとも、ＦＰＤ４の清潔性が保たれることになる。したがって、本発明によれば、操作がしやすく、使い捨てのゴミを出さない移動式放射線撮影装置が提供できる。【選択図】図１
2013248124.tif 000002
【特許請求の範囲】
【請求項１】
放射線を照射する放射線源と、
前記放射線源を制御する放射線源制御手段と、
照射された放射線を検出して検出信号を出力する検出手段と、
前記放射線源、および前記放射線源制御手段を搭載した台車と、
前記台車に設けられるとともに、前記検出手段を収納する収納手段と、
前記収納手段に収納された前記検出手段に向けて殺菌光を照射することにより前記検出手段を光殺菌する光殺菌手段と、
前記光殺菌手段を制御する光殺菌制御手段を備えることを特徴とする移動式放射線撮影装置。
【請求項２】
請求項１に記載の移動式放射線撮影装置において、
前記光殺菌手段が照射する殺菌光は、紫外線であることを特徴とする移動式放射線撮影装置。
【請求項３】
請求項１または請求項２に記載の移動式放射線撮影装置において、
前記収納手段には、前記検出手段が前記光殺菌手段に接触しないように前記検出手段を保持する保持手段が備えられていることを特徴とする移動式放射線撮影装置。
【請求項４】
請求項１ないし請求項３のいずれかに記載の移動式放射線撮影装置において、
前記光殺菌制御手段は、殺菌光の照射開始から所定時間経過後に照射を終了するように前記光殺菌手段を制御することを特徴とする移動式放射線撮影装置。
【請求項５】
請求項１ないし請求項４のいずれかに記載の移動式放射線撮影装置において、
術者に殺菌光の照射の開始および照射の終了の指示を入力させる入力手段を備え、
前記光殺菌制御手段は、前記入力手段の入力に従って前記光殺菌手段を制御することを特徴とする移動式放射線撮影装置。
【請求項６】
請求項１ないし請求項５のいずれかに記載の移動式放射線撮影装置において、
前記収納手段には、前記収納手段における前記検出手段を挿入する挿入口から殺菌光が前記収納手段の外部に漏出することを防止するフタが設けられていることを特徴とする移動式放射線撮影装置。
【請求項７】
請求項６に記載の移動式放射線撮影装置において、
前記収納手段には、前記フタの装着状態を検知するセンサが設けられており、
前記光殺菌制御手段は、前記センサの出力を基に、前記フタが前記収納手段から脱離している状態のときは殺菌光が照射されないように前記光殺菌手段を制御することを特徴とする移動式放射線撮影装置。
【発明の詳細な説明】
【技術分野】
【０００１】
本発明は、放射線撮影に要する各装置の一式が台車に搭載されている移動式放射線撮影装置に関し、特に、検出手段を清潔に保つことができる移動式放射線撮影装置に関する。
【背景技術】
【０００２】
従来、医療機関で使用されている移動式放射線撮影装置は、電動移動が可能な台車に放射線撮影に要する各装置の一式が搭載されたものとなっている。台車に搭載される各装置のうち、代表的なものとしては、被検体に向けて放射線を照射する放射線源や、被検体を透過してきた放射線を検出する検出手段、検出手段から出力された検出信号を画像化する画像生成手段などがある（特許文献１参照）。
【０００３】
検出手段の具体的な構成について説明する。従来の移動式放射線撮影装置における検出手段は、シート型で扁平のＦＰＤ（フラット・パネル・ディテクタ）で構成される。このＦＰＤは、被検体を透過してきた放射線を入射させる入射面を有している。
【０００４】
実際の検査をするときには、まず、移動式放射線撮影装置を病室まで移動させる。そして、放射線源とＦＰＤとの間に挟まれる位置に被検体を載置して、放射線源から放射線を照射し、画像を生成する。検査が終了して、移動式放射線撮影装置を移動させようとするときには、まずＦＰＤ５４を被検体から離反させ、移動式放射線撮影装置の筐体に設けられたホルダ５７に載置させる（図７参照）。ホルダ５７は、図７に示すように放射線の入射方向を水平方向にした直立状態のＦＰＤ５４を挿入できるポケットとなっている。
【０００５】
ＦＰＤ５４をホルダ５７に載置した後、術者が移動式放射線撮影装置に設けられたレバーを押すと、内部の駆動装置が作動する。そして、移動式放射線撮影装置は、術者がレバーを押した方向に進んで、病室から退出する。
【先行技術文献】
【特許文献】
【０００６】
【特許文献１】特開２０１１−１２０８１３号公報
【発明の概要】
【発明が解決しようとする課題】
【０００７】
しかしながら、上述のような従来構成には次のような問題点がある。
すなわち、従来構成によれば、ＦＰＤの除菌を行うのに手間がかかるという問題点がある。
【０００８】
感染症などに罹患した患者に対して移動式放射線撮影装置を用いた撮影を行う場合は、特にＦＰＤを清潔にするように心がけなければならない。従来装置によれば、ＦＰＤを清潔に保つには、ＦＰＤをビニール製の袋に包んでから撮影を行うようにし、患者とＦＰＤとが直接に接触しないようにしている。このような構成によれば、ＦＰＤを袋から出し入れする必要がある。ＦＰＤは、３５ｃｍ×４３ｃｍ程度の大きさがあるので、この袋の出し入れ作業は簡単ではない。
【０００９】
また、従来装置によれば、撮影が終了したＦＰＤをウェットティッシュで拭くことでＦＰＤの除菌をするようにしている。この様な構成であれば、確かにＦＰＤを袋に入れる必要がなくなる。しかし、ＦＰＤの大きさからするとＦＰＤをウェットティッシュで拭き取る操作は簡単ではない。
【００１０】
そして、いずれの従来構成であっても、使い捨ての袋やウェットティッシュが必要である。従って、従来構成によれば、これらを移動式放射線撮影装置に搭載するか装置の移動に合わせて持ち歩く必要がある。また、使い終わった袋やウェットティッシュをどのように処分するかについても注意を要する。
【００１１】
本発明は、この様な事情に鑑みてなされたものであって、ＦＰＤの除菌を簡便に行うことができる移動式放射線撮影装置を提供することにある。
【課題を解決するための手段】
【００１２】
本発明は上述の課題を解決するために次のような構成をとる。
すなわち、本発明に係る移動式放射線撮影装置は、放射線を照射する放射線源と、放射線源を制御する放射線源制御手段と、照射された放射線を検出して検出信号を出力する検出手段と、放射線源、および放射線源制御手段を搭載した台車と、台車に設けられるとともに、検出手段を収納する収納手段と、収納手段に収納された検出手段に向けて殺菌光を照射することにより検出手段を光殺菌する光殺菌手段と、光殺菌手段を制御する光殺菌制御手段を備えることを特徴とするものである。
【００１３】
［作用・効果］本発明の構成によれば、検出手段を収納する収納手段に殺菌光を照射する光殺菌手段が備えられている。これにより、術者が収納手段に検出手段を収納するだけで検出手段の殺菌が可能となる。つまり、本発明によれば、検出手段を袋で覆ったり、検出手段の表面を拭き取ったりしなくとも、検出手段の清潔性が保たれることになる。したがって、本発明によれば、操作がしやすく、使い捨てのゴミを出さない移動式放射線撮影装置が提供できる。
【００１４】
また、上述の移動式放射線撮影装置において、光殺菌手段が照射する殺菌光は、紫外線であればより望ましい。
【００１５】
［作用・効果］上述の構成は、本発明のより具体的な構成を示すものとなっている。光殺菌手段が照射する殺菌光が紫外線であれば、既存の蛍光灯を利用して光殺菌手段を構成することができるので、より確実で安価に本発明を実現できる。
【００１６】
また、上述の移動式放射線撮影装置において、収納手段には、検出手段が光殺菌手段に接触しないように検出手段を保持する保持手段が備えられていればより望ましい。
【００１７】
［作用・効果］上述の構成は、本発明のより具体的な構成を示すものとなっている。収納手段に、検出手段を保持する保持手段が備えられていれば、検出手段が光殺菌手段に接触することがなく、移動式放射線撮影装置を移動させても検出手段が故障することがない。
【００１８】
また、上述の移動式放射線撮影装置において、光殺菌制御手段は、殺菌光の照射開始から所定時間経過後に照射を終了するように光殺菌手段を制御すればより望ましい。
【００１９】
［作用・効果］上述の構成は、本発明のより具体的な構成を示すものとなっている。殺菌光の照射開始から所定時間経過後に照射を終了させれば、無用な殺菌光照射を防止し、移動式放射線撮影装置に蓄電された電力を節約することができる。また、殺菌光の照射が無制限に連続することを防止すれば、安全性に優れた移動式放射線撮影装置を提供できる。
【００２０】
また、上述の移動式放射線撮影装置において、術者に殺菌光の照射の開始および照射の終了の指示を入力させる入力手段を備え、光殺菌制御手段は、入力手段の入力に従って光殺菌手段を制御すればより望ましい。
【００２１】
［作用・効果］上述の構成は、本発明のより具体的な構成を示すものとなっている。術者に殺菌光の照射の開始および照射の終了の指示を入力させるようにすれば、術者の意思によって光殺菌手段を制御することができるので、術者はより自由に移動式放射線撮影装置を使用することができる。
【００２２】
また、上述の移動式放射線撮影装置において、収納手段には、収納手段における検出手段を挿入する挿入口から殺菌光が収納手段の外部に漏出することを防止するフタが設けられていればより望ましい。
【００２３】
［作用・効果］上述の構成は、本発明のより具体的な構成を示すものとなっている。収納手段における検出手段を挿入する挿入口から殺菌光が収納手段の外部に漏出することを防止するフタが設けられていれば、殺菌光が収納手段から漏れ出して術者等に向けて照射されることを防止でき、安全性に優れた移動式放射線撮影装置が提供できる。
【００２４】
また、上述の移動式放射線撮影装置において、収納手段には、フタの装着状態を検知するセンサが設けられており、光殺菌制御手段は、センサの出力を基に、フタが収納手段から脱離している状態のときは殺菌光が照射されないように光殺菌手段を制御すればより望ましい。
【００２５】
［作用・効果］上述の構成は、本発明のより具体的な構成を示すものとなっている。収納手段に装着されるフタが収納手段から脱離している状態のときは殺菌光が照射されないようにすれば、より確実に術者等に向けて照射されることが防止でき、安全性に優れた移動式放射線撮影装置が提供できる。
【発明の効果】
【００２６】
本発明の構成によれば、検出手段を収納する収納手段に殺菌光を照射する光殺菌手段が備えられている。これにより、術者が収納手段に検出手段を収納するだけで検出手段の殺菌が可能となる。つまり、本発明によれば、検出手段を袋で覆ったり、検出手段の表面を拭き取ったりしなくとも、検出手段の清潔性が保たれることになる。したがって、本発明によれば、操作がしやすく、使い捨てのゴミを出さない移動式放射線撮影装置が提供できる。
【図面の簡単な説明】
【００２７】
【図１】実施例１に係る移動式Ｘ線撮影装置の構成を説明する機能ブロック図である。
【図２】実施例１に係る移動式Ｘ線撮影装置の全体像を説明する斜視図である。
【図３】実施例１に係るＦＰＤを説明する斜視図である。
【図４】実施例１に係るＦＰＤを説明する平面図である。
【図５】実施例１に係る収納ホルダを説明する断面図である。
【図６】実施例１に係る殺菌灯および支持部材を説明する断面図である。
【図７】従来構成の移動式Ｘ線撮影装置を説明する斜視図である。
【実施例１】
【００２８】
以下、この発明の移動式Ｘ線撮影装置の一実施例を説明する。図１はこの発明の実施例に係る移動式Ｘ線撮影装置の制御系の構成を示すブロック図、図２は実施例の装置の外観を示す斜視図、図３は実施例の装置に装備されているＸ線受像デバイスを示す斜視図、図３は実施例の装置に装備されているフラットパネル型Ｘ線検出器（Ｘ線受像デバイス）を示す斜視図、図４は実施例の装置のフラットパネル型Ｘ線検出器におけるＸ線検出素子の配列状況を示す平面図である。Ｘ線は本発明の放射線の一例であり、ＦＰＤはフラット・パネル・ディテクタの略である。
【００２９】
実施例の移動式Ｘ線撮影装置は、図１，図２に示すように、４輪タイプで後輪駆動式の移動可能な台車１に、撮影対象の被検体ＭにＸ線を照射するＸ線管３を始めとして、Ｘ線管３から照射されたＸ線を検出して被検体Ｍの透過Ｘ線像を取得する直接変換タイプのフラットパネル型Ｘ線検出器（以下、適宜「ＦＰＤ」と略記）４や、Ｘ線管３の制御を行なうＸ線管制御部６などの必要な装備類一式が搭載されている。したがって、台車１の移動により実施例の装置の方が走行して撮影対象の被検体Ｍが寝ている病室へ出向くことができる構成となっている。Ｘ線管３は、本発明の放射線源に相当し、Ｘ線管制御部６は、本発明の放射線源制御手段に相当する。
【００３０】
つまり、実施例の装置は、被検体Ｍがレントゲン室まで出向かずとも病室に居たままでＸ線撮影が行なえる、いわゆる回診撮影が可能なタイプの装置である。
【００３１】
Ｘ線管３は、図２に示すように、台車１の前部側に垂直に立てられた支柱２ａに昇降可能に水平状態で取り付けられた保持アーム２ｂの先端に装着されている。支柱２ａは直立状態を維持した状態で中心軸を回転軸として回転可能となっていて、台車１の走行中はＸ線管３を保持アーム２ｂごと支柱２ａの後側に位置させてＸ線管３が走行の妨げにならないようにする。そして、撮影時には支柱２ａを回転させてＸ線管３を保持アーム２ｂごと支柱２ａの前側に位置させると共に、必要に応じて保持アーム２ｂを支柱２ａに沿って上げ下げしてＸ線管３の高さが適当な高さとなるように調整する。
【００３２】
ＦＰＤ４は、図３に示すように、板状の装置であり、台車本体に検出信号を送出したり、台車本体から制御信号を送り込んだりする無線式の通信装置が設けられている。このＦＰＤ４は、照射されたＸ線を検出して検出信号を出力するものである。ＦＰＤ４は、普段は台車１の内部に収納されており、撮影の前に取り出されて、被検体Ｍの下部に置かれる。このとき、ＦＰＤ４と台車１とは無線式の通信装置を通じてデータを双方向に送受信できる状態となっている。従って、台車１にも、無線式の通信装置が設けられている。ＦＰＤ４と台車１に設けられた通信装置がデータの送受信をすることにより、ＦＰＤ４は、撮影時に台車１より制御に関する情報を取得することもできる。同様に、台車１はＦＰＤ４から送られてきた検出信号を取得することができる。ＦＰＤ４は、本発明の検出手段に相当する。
【００３３】
ＦＰＤ４の構造について説明する。ＦＰＤ４は、図４に示すように、Ｘ線を受光するＸ線検出面に多数のＸ線検出素子４ａが縦横（ＸＹ方向）に配列された２次元Ｘ線検出器であり、Ｘ線検出面に投影される透過Ｘ線像をＸ線検出素子４ａでＸ線画像取得用の検出信号としての電気信号に変換して検出する構成とされている。このＦＰＤ４は、直接変換型のＸ線イメージング装置であり、アモルファスセレン層をはじめ多数の層が積層されることにより構成されている。
【００３４】
台車１に設けられた収納ホルダ７から取り出されたＦＰＤ４は、図１に示すように、ベッドＢの上に寝ている被検体Ｍの下の撮影位置にセットされる。この収納ホルダ７は、台車１の移動中にＦＰＤ４を収納する収納部となっている。収納ホルダ７は、本発明の収納手段に相当する。
【００３５】
収納ホルダ７の具体的な構成について説明する。図５は、収納ホルダ７の断面図である。収納ホルダ７は、図５に示すように、台車１に付設された箱型の部材である。収納ホルダ７の内側の空間は、収納されるＦＰＤ４に倣った形状をしており、ＦＰＤ４を完全に包含できる程度の広さを有している。収納ホルダ７の内壁には、ＦＰＤ４に向けて紫外線を照射することによりＦＰＤ４を光殺菌する殺菌灯７ａが備えられている。殺菌灯７ａから照射された紫外線は、ＦＰＤ４に入射し、ＦＰＤ４表面に付着している細菌等を死滅させる。殺菌灯７ａは具体的には紫外線を発する蛍光灯である。殺菌灯７ａは、本発明の光殺菌手段に相当する。
【００３６】
殺菌灯７ａが収納ホルダ７のどこに設けられるかについて説明する。収納ホルダ７は、底面を除いて４つの側面を有する。このうち、殺菌灯７ａが設けられているのは、ＦＰＤ４のＸ線検出面に対向する面と、ＦＰＤ４のＸ線検出面の裏面に対向する面の二面である。なお実施例１の構成は上述の構成に限られず、殺菌灯７ａを残りの２面にも設けるようにしてもよい。
【００３７】
図６左側は、殺菌灯７ａが収納ホルダ７の内壁面のうちＦＰＤ４のＸ線検出面に対向する面に設けられている様子を示している。殺菌灯７ａは例えば棒状の蛍光灯などにより構成される。実施例１の構成によれば、複数の殺菌灯７ａを平行に配列して配置することにより、ＦＰＤ４のＸ線検出面の全面に確実に紫外線が入射するようになっている。なお、ＦＰＤ４のＸ線検出面の裏面に対向する面に殺菌灯７ａが設けられている様子も概観としては図６左側と同様である。
【００３８】
なお、収納ホルダ７の内側には、ＦＰＤ４が殺菌灯７ａに接触しないようにＦＰＤ４を保持する保持部材７ｂが備えられている。保持部材７ｂは、棒状の部材であり、ＦＰＤ４を挟み込むように対をなして設けられている。収納ホルダ７に収納されたＦＰＤ４は、Ｘ線検出面側の保持部材７ｂと、Ｘ線検出面の裏側の保持部材７ｂとによって構成される一対の保持部材７ｂに挟まれるように保持されるので、収納ホルダ７内部のＦＰＤ４は、自由に移動することができない。この様にして保持部材７ｂは、台車１の移動中にＦＰＤ４が殺菌灯７ａに接触することを抑制している。保持部材７ｂは、本発明の保持手段に相当する。
【００３９】
図６右側はＦＰＤ４のＸ線検出面に当接する保持部材７ｂを示している。図６右側に示すように、保持部材７ｂは、ＦＰＤ４のＸ線検出面側に２本設けられている。同様に、保持部材７ｂは、ＦＰＤ４のＸ線検出面の裏側に２本設けられている。したがって、収納ホルダ７には、合計で４本の保持部材７ｂが設けられていることになる。いいかえれば、収納ホルダ７には、図５で説明した一対の保持部材７ｂが２つ設けられていることになる。図５において説明した一対の保持部材７ｂは、図６右側においては、一方の保持部材７ｂは描かれているものの、対とをなす保持部材７ｂがＦＰＤ４に隠れて描かれていない。なお、ＦＰＤ４のＸ線検出面の裏面に対向する面に当接する保持部材７ｂが設けられている様子も概観としては図６右側と同様である。
【００４０】
収納ホルダ７には、挿入口７ｃを閉塞するフタ８が設けられている。フタ８は、収納ホルダ７から着脱可能となっており、フタ８は、装着状態において、ＦＰＤ４に接触しないように構成されている。このフタ８は、収納ホルダ７が挿入口７ｃから紫外線が漏出することを抑制する目的で設けられている。したがって、フタ８は、収納ホルダ７に装着されたときに収納ホルダ７内部から発する光が外部に漏出することがないように構成されている。
【００４１】
収納ホルダ７には、フタ８の装着状態を検知するセンサ７ｄが設けられている。このセンサ７ｄは、フタ８が収納ホルダ７に装着された場合その旨を検知し、同様にフタ８が収納ホルダ７に脱離された場合その旨を検知する。センサ７ｄの具体例としては、例えば、赤外線センサなどを挙げることができる。センサ７ｄの具体的な動作については後述とする。
【００４２】
光殺菌制御部１２は、殺菌灯７ａの発光状況を制御する制御部である。光殺菌制御部１２は、殺菌灯７ａを点灯させたり、逆に消灯させたりする。光殺菌制御部１２がする点灯の指示により収納ホルダ７の内部の殺菌灯７ａは一斉に点灯し、光殺菌制御部１２がする消灯の指示により収納ホルダ７の内部の殺菌灯７ａは一斉に消灯する。光殺菌制御部１２は、本発明の光殺菌制御手段に相当する。
【００４３】
この光殺菌制御部１２は、センサ７ｄの出力に基づいて動作するのでこれについて説明する。センサ７ｄの出力は、常に光殺菌制御部１２に送出されている。光殺菌制御部１２は、センサ７ｄからフタ８が収納ホルダ７に脱離された旨の通知を受け取ると、殺菌灯７ａを消灯させるように動作する。つまり、光殺菌制御部１２は、センサ７ｄの出力を基に、フタ８が状態のときは殺菌光が照射されないように殺菌灯７ａを制御している。これにより、術者がＦＰＤ４を収納ホルダ７から取り出そうとしてフタ８を収納ホルダ７から脱離させても、紫外線が収納ホルダ７の挿入口７ｃから放射されることがない。
【００４４】
また、光殺菌制御部１２は、記憶部２８から連続点灯設定時間Ｔを読み出して、これに基づいて動作する。連続点灯設定時間Ｔとは、殺菌灯７ａが連続点灯する時間の設定値であり、術者が操作パネル２６を通じて変更することもできる。光殺菌制御部１２は、殺菌灯７ａを点灯させた時点を起点として、連続点灯設定時間Ｔ経過後に殺菌灯７ａを消灯するように動作する。連続点灯設定時間Ｔは具体的には、殺菌灯７ａを用いた紫外線照射によりＦＰＤ４を十分に殺菌できる程度に長い時間が設定される。このように光殺菌制御部１２は、紫外線の照射開始から所定時間経過後に照射を終了するように殺菌灯７ａを制御するのである。操作パネル２６は、本発明の入力手段に相当する。
【００４５】
また、光殺菌制御部１２は、操作パネル２６を通じて行われる術者の入力に従って動作する。すなわち、操作パネル２６を通じて術者が殺菌灯７ａの照射の開始の指示をすると、光殺菌制御部１２は、殺菌灯７ａを点灯させる。同様に、操作パネル２６を通じて術者が殺菌灯７ａの照射の終了の指示をすると、光殺菌制御部１２は、殺菌灯７ａを消灯させる。
【００４６】
このように光殺菌制御部１２は、様々な情報に基づいて動作する。光殺菌制御部１２は、センサ７ｄの出力を優先して動作する。したがって、術者が操作パネル２６を通じて殺菌灯７ａの点灯を指示しても、フタ８が装着状態となっていない限り殺菌灯７ａが点灯しない。
【００４７】
表示部２７について説明する。台車１の上面側にはＸ線撮影に必要な情報・データを表示する表示部２７およびＸ線撮影や台車移動に必要な操作を行なう操作パネル２６が配設されていて（図２参照），操作パネル２６の操作内容やＸ線撮影の進行状況に応じて表示部２７の画面に操作用メニューやＸ線画像などが映し出される構成とされている。
【００４８】
表示部２７には、光殺菌制御部１２より現在の殺菌灯７ａの点灯状況が送出されてきている。表示部２７は、これに従って、殺菌灯７ａの点灯状況を表示する構成となっている。術者は、表示部２７を確認しながら殺菌灯７ａの点灯および消灯の指示を操作パネル２６を通じて装置に与えることができる。
【００４９】
Ｘ線管制御部６について説明する。Ｘ線撮影の際に必要な制御を行なうＸ線管制御部６は、Ｘ線撮影実行の際に予め定められた管電圧・管電流等のＸ線撮影条件通りにＸ線管３にＸ線を照射させる。また、実施例１に係る移動式放射線撮影装置は、ＦＰＤ４から出力される検出信号に基づいて被検体Ｍの透過Ｘ線像に対応するＸ線画像を取得する画像生成部１１を備えている。
【００５０】
また、実施例１の装置の場合、台車１は電動移動の可能な構成とされている。即ち、術者が操作パネル２６で行なう運転操作に従って台車移動制御部１６が電動モータ１５を回転させるのに伴って台車１の後輪１ａが回転して台車１が走行する。なお、台車１の前輪には必ずしも電動モータ１５を設ける必要はない。
【００５１】
台車１には、術者が用いるレバー９が設けられている。術者がこのレバー９を押すと、台車移動制御部１６はこれを感知して、レバー９が押された方向に台車１が移動するように後輪１ａを制御する。つまり、レバー９は、術者に台車１の移動の指示を入力させる入力手段となっている。
【００５２】
主制御部４１は、各制御部を統括的に制御する目的で設けられている。この主制御部４１は、ＣＰＵによって構成され、各種のプログラムを実行することにより各部６，１１，１２，１６を実現している、また、上述の各部は、それらを担当する演算装置に分割されて実行されてもよい。記憶部２８は、撮影や紫外線照射に関する各種パラメータの一切を記憶する。
【００５３】
以上のように、本発明の構成によれば、ＦＰＤ４を収納する収納ホルダ７に紫外線を照射する殺菌灯７ａが備えられている。これにより、術者が収納ホルダ７にＦＰＤ４を収納するだけでＦＰＤ４の殺菌が可能となる。つまり、本発明によれば、ＦＰＤ４を袋で覆ったり、ＦＰＤ４の表面を拭き取ったりしなくとも、ＦＰＤ４の清潔性が保たれることになる。したがって、本発明によれば、操作がしやすく、使い捨てのゴミを出さない移動式放射線撮影装置が提供できる。
【００５４】
また、上述のように、殺菌灯７ａが照射する殺菌光が紫外線であれば、既存の蛍光灯を利用して殺菌灯７ａを構成することができるので、より確実で安価に本発明を実現できる。
【００５５】
また、収納ホルダ７に、ＦＰＤ４を保持する保持部材７ｂが備えられていれば、ＦＰＤ４が殺菌灯７ａに接触することがなく、移動式放射線撮影装置を移動させてもＦＰＤ４が故障することがない。
【００５６】
また、上述のように、紫外線の照射開始から所定時間経過後に照射を終了させるような構成を採用すれば、無用な紫外線照射を防止し、移動式放射線撮影装置に蓄電された電力を節約することができる。また、紫外線の照射が無制限に連続することを防止すれば、安全性に優れた移動式放射線撮影装置を提供できる。
【００５７】
また、術者に紫外線の照射の開始および照射の終了の指示を入力させるようにすれば、術者の意思によって殺菌灯７ａを制御することができるので、術者はより自由に移動式放射線撮影装置を使用することができる。
【００５８】
収納ホルダ７におけるＦＰＤ４を挿入する挿入口７ｃから紫外線が収納ホルダ７の外部に漏出することを防止するフタ８が設けられていれば、紫外線が収納ホルダ７から漏れ出して術者等に向けて照射されることを防止でき、安全性に優れた移動式放射線撮影装置が提供できる。
【００５９】
また、上述のように、収納ホルダ７に装着されるフタ８が開いている状態のときは紫外線が照射されないようにすれば、より確実に術者等に向けて照射されることが防止でき、安全性に優れた移動式放射線撮影装置が提供できる。
【００６０】
本発明は、上述の構成に限られず、下記のように変形実施することが可能である。
【００６１】
（１）本発明の光殺菌手段は、紫外線を照射する殺菌灯７ａにより構成されていた。しかし、本発明はこの構成限らない。本発明の殺菌光の波長と殺菌光の発生手段は、適宜変更することができる。
【００６２】
（２）上述した実施例は、医用の装置であったが、本発明は、工業用や、原子力用の装置に適用することもできる。
【００６３】
（３）上述した実施例のいうＸ線は、本発明における放射線の一例である。したがって、本発明は、Ｘ線以外の放射線にも適応できる。
【符号の説明】
【００６４】
１     台車
３     Ｘ線管（放射線源）
４     ＦＰＤ（検出手段）
６     Ｘ線管制御部（放射線源制御手段）
７     収納ホルダ（収納手段）
７ａ   殺菌灯（光殺菌手段）
７ｂ   保持部材（保持手段）
７ｃ   挿入口
７ｄ   センサ
８     フタ
１２   光殺菌制御部（光殺菌制御手段）
２６   操作パネル（入力手段）
【図１】
2013248124.tif 000003
【図２】
2013248124.tif 000004
【図３】
2013248124.tif 000005
【図４】
2013248124.tif 000006
【図５】
2013248124.tif 000007
【図６】
2013248124.tif 000008
【図７】
2013248124.tif 000009